(57)【要約】【課題】拡張現実の技術を用いて誌面確認を行うための表示装置、表示システム及びプログラムを提供する。【解決手段】誌面３の仕上がりを確認するためのタブレット１は、カメラ２６によってマーカ３３が付された校正紙３０に製版データ３１が出力された誌面３を撮影して、撮影画像を取得する画像取得部１５と、画像取得部１５が取得した撮影画像からマーカ３３を認識する画像認識部１６と、認識したマーカ３３に基づいて、誌面３の仕上がり確認に用いる版面線６１及び仕上線６２の画像を有するレイヤ６０を取得するレイヤ取得部１７と、撮影画像の上に、レイヤ取得部１７により取得したレイヤ６０を、マーカ３３に基づく位置に重畳して表示する表示処理部１８と、を備える。【選択図】図１
2018106041.tif 000002
【特許請求の範囲】
【請求項１】
誌面の仕上がりを確認するための表示装置であって、
マーカが付された校正紙に製版データが出力された確認用誌面を、撮影手段によって撮影して、撮影画像を取得する画像取得手段と、
前記画像取得手段が取得した前記撮影画像から前記マーカを認識し、認識した前記マーカに基づいて、誌面の仕上がり確認に用いる仕上がり確認線の画像を有するレイヤを取得するレイヤ取得手段と、
前記撮影画像の上に、前記レイヤ取得手段により取得した前記レイヤを、前記マーカに基づく位置に重畳して表示する表示処理手段と、
を備える表示装置。
【請求項２】
請求項１に記載の表示装置において、
前記確認用誌面に関する誌面情報を記憶する誌面情報記憶部から前記確認用誌面に対応する前記誌面情報を取得する誌面情報取得手段と、
前記誌面情報取得手段により取得した前記誌面情報を表示する情報表示手段と、
を備えること、
を特徴とする表示装置。
【請求項３】
請求項１又は請求項２に記載の表示装置において、
寸法の異なる前記仕上がり確認線の画像を有する複数の前記レイヤを記憶するレイヤ記憶部を備え、
前記レイヤ取得手段は、前記画像取得手段が取得した前記撮影画像の前記確認用誌面に対応する前記レイヤを、前記レイヤ記憶部から取得し、前記レイヤの大きさを、認識した前記マーカに基づいて変更すること、
を特徴とする表示装置。
【請求項４】
請求項１又は請求項２に記載の表示装置において、
前記レイヤ取得手段は、認識した前記マーカに基づいて、前記仕上がり確認線を描画したレイヤを生成すること、
を特徴とする表示装置。
【請求項５】
請求項１から請求項４までのいずれかに記載の表示装置において、
前記マーカは、前記確認用誌面の四隅に付されており、
前記レイヤ取得手段は、複数の前記マーカの位置座標に基づいて、前記レイヤの大きさを決定し、
前記表示処理手段は、前記複数のマーカの位置座標に基づいて前記レイヤの表示位置を決定し、前記レイヤを重畳して表示すること、
を特徴とする表示装置。
【請求項６】
請求項１から請求項５までのいずれかに記載の表示装置において、
前記レイヤは、透過性を有する面の上に、四角形状の画像として版面線及び仕上線の少なくとも一方を含む前記仕上がり確認線を配置したものであること、
を特徴とする表示装置。
【請求項７】
請求項２又は請求項３に記載の表示装置と、
前記表示装置に対して通信接続された情報サーバと、
を備えた表示システムであって、
前記情報サーバは、前記誌面情報記憶部及び前記レイヤ記憶部のうち少なくとも一方を備えること、
を特徴とする表示システム。
【請求項８】
誌面の仕上がりを確認するための表示装置であるコンピュータによって実行されるプログラムであって、
コンピュータを、
マーカが付された校正紙に製版データが出力された確認用誌面を撮影して得た撮影画像を取得する画像取得手段と、
前記画像取得手段が取得した前記撮影画像から前記マーカを認識し、認識した前記マーカに基づいて、誌面の仕上がり確認に用いる仕上がり確認線の画像を有するレイヤを取得するレイヤ取得手段と、
前記撮影画像の上に、前記レイヤ取得手段により取得した前記レイヤを、前記マーカに基づく位置に重畳して表示する表示処理手段と、
して機能させること、
を特徴とするプログラム。
【発明の詳細な説明】
【技術分野】
【０００１】
本発明は、表示装置、表示システム及びプログラムに関する。
【背景技術】
【０００２】
従来、印刷物の納品先において、校正紙の断裁位置に印刷物の仕上がりを確認するための仕上線を引いて、誌面のレイアウトを確認することが行われている。この仕上線を人手で引く作業が煩雑であるため、製版データ上に仕上線を挿入し校正出力することにより、誌面の仕上がり寸法や版面寸法のイメージを把握する方法が開示されている（例えば、特許文献１参照）。
【０００３】
また、拡張現実（ＡＲ）技術の進歩により、印刷されたマーカをカメラが検出して、ＣＧ（Ｃｏｍｐｕｔｅｒ  Ｇｒａｐｈｉｃｓ）等の仮想物体を重畳して表示する方法が開示されている（例えば、特許文献２参照）。
【先行技術文献】
【特許文献】
【０００４】
【特許文献１】特開２０１４−１７２２９１号公報
【特許文献２】国際公開第２０１２／０４９７９５号
【発明の概要】
【発明が解決しようとする課題】
【０００５】
特許文献１に記載の方法を用いれば、人手を介さずに誌面のレイアウトを確認できる。しかし、製版データ版面内へ直接仕上がり線を挿入することになるため、品質事故に繋がる危険性があった。
【０００６】
そこで、本発明は、拡張現実の技術を用いて誌面確認を行うための表示装置、表示システム及びプログラムを提供することを目的とする。
【課題を解決するための手段】
【０００７】
本発明は、以下のような解決手段により、前記課題を解決する。
第１の発明は、誌面の仕上がりを確認するための表示装置であって、マーカが付された校正紙に製版データが出力された確認用誌面を、撮影手段によって撮影して、撮影画像を取得する画像取得手段と、前記画像取得手段が取得した前記撮影画像から前記マーカを認識し、認識した前記マーカに基づいて、誌面の仕上がり確認に用いる仕上がり確認線の画像を有するレイヤを取得するレイヤ取得手段と、前記撮影画像の上に、前記レイヤ取得手段により取得した前記レイヤを、前記マーカに基づく位置に重畳して表示する表示処理手段と、を備える表示装置である。
第２の発明は、第１の発明の表示装置において、前記確認用誌面に関する誌面情報を記憶する誌面情報記憶部から前記確認用誌面に対応する前記誌面情報を取得する誌面情報取得手段と、前記誌面情報取得手段により取得した前記誌面情報を表示する情報表示手段と、を備えること、を特徴とする表示装置である。
第３の発明は、第１の発明又は第２の発明の表示装置において、寸法の異なる前記仕上がり確認線の画像を有する複数の前記レイヤを記憶するレイヤ記憶部を備え、前記レイヤ取得手段は、前記画像取得手段が取得した前記撮影画像の前記確認用誌面に対応する前記レイヤを、前記レイヤ記憶部から取得し、前記レイヤの大きさを、認識した前記マーカに基づいて変更すること、を特徴とする表示装置である。
第４の発明は、第１の発明又は第２の発明の表示装置において、前記レイヤ取得手段は、認識した前記マーカに基づいて、前記仕上がり確認線を描画したレイヤを生成すること、を特徴とする表示装置である。
第５の発明は、第１の発明から第４の発明までのいずれかの表示装置において、前記マーカは、前記確認用誌面の四隅に付されており、前記レイヤ取得手段は、複数の前記マーカの位置座標に基づいて、前記レイヤの大きさを決定し、前記表示処理手段は、前記複数のマーカの位置座標に基づいて前記レイヤの表示位置を決定し、前記レイヤを重畳して表示すること、を特徴とする表示装置である。
第６の発明は、第１の発明から第５の発明までのいずれかの表示装置において、前記レイヤは、透過性を有する面の上に、四角形状の画像として版面線及び仕上線の少なくとも一方を含む前記仕上がり確認線を配置したものであること、を特徴とする表示装置である。
第７の発明は、第２の発明又は第３の発明の表示装置と、前記表示装置に対して通信接続された情報サーバと、を備えた表示システムであって、前記情報サーバは、前記誌面情報記憶部及び前記レイヤ記憶部のうち少なくとも一方を備えること、を特徴とする表示システムである。
第８の発明は、誌面の仕上がりを確認するための表示装置であるコンピュータによって実行されるプログラムであって、コンピュータを、マーカが付された校正紙に製版データが出力された確認用誌面を撮影して得た撮影画像を取得する画像取得手段と、前記画像取得手段が取得した前記撮影画像から前記マーカを認識し、認識した前記マーカに基づいて、誌面の仕上がり確認に用いる仕上がり確認線の画像を有するレイヤを取得するレイヤ取得手段と、前記撮影画像の上に、前記レイヤ取得手段により取得した前記レイヤを、前記マーカに基づく位置に重畳して表示する表示処理手段と、して機能させること、を特徴とするプログラムである。
【発明の効果】
【０００８】
本発明によれば、拡張現実の技術を用いて誌面確認を行うための表示装置、表示システム及びプログラムを提供することができる。
【図面の簡単な説明】
【０００９】
【図１】本実施形態に係る表示システムでの使用イメージを説明するための図である。
【図２】本実施形態に係る表示システムの機能ブロックを示す図である。
【図３】本実施形態に係る誌面及びレイヤの例を示す図である。
【図４】本実施形態に係る表示システムの誌面確認処理を示すフローチャートである。
【図５】本実施形態に係る表示システムの誌面確認処理を示すフローチャートである。
【図６】本実施形態に係るタブレットでの表示例を示す図である。
【発明を実施するための形態】
【００１０】
以下、本発明を実施するための形態について、図を参照しながら説明する。なお、これは、あくまでも一例であって、本発明の技術的範囲はこれに限られるものではない。
（実施形態）
＜表示システム１００＞
図１は、本実施形態に係る表示システム１００での使用イメージを説明するための図である。
図２は、本実施形態に係る表示システム１００の機能ブロックを示す図である。
図３は、本実施形態に係る誌面３及びレイヤ６０の例を示す図である。
【００１１】
図１に示す表示システム１００は、タブレット１（表示装置）が、カメラ２６（撮影手段）により誌面３（確認用誌面）を撮影すると、タブレット１のタッチパネルディスプレイ２５に、誌面３を含む撮影画像を表示させ、さらに、誌面３の上に、仕上がり確認線を有するレイヤ６０（後述する）を重畳して表示させる。そのようにすることで、表示システム１００は、タブレット１を用いて、ユーザが、誌面３の仕上がりを確認するためのものである。
図２に示すように、表示システム１００は、タブレット１と、情報サーバ４とが、通信ネットワークＮを介して接続されている。通信ネットワークＮは、タブレット１と、情報サーバ４との間のネットワークであり、例えば、インターネット回線等である。
【００１２】
＜タブレット１＞
タブレット１は、撮影画像に含まれる誌面３に、誌面３の仕上がりを確認するための仕上がり確認線を有するレイヤ６０を重畳して、タッチパネルディスプレイ２５に表示させる（図１参照）。また、タブレット１は、誌面３の題名や、仕上寸法等の誌面内容を、タッチパネルディスプレイ２５に表示させる。
タブレット１は、例えば、ユーザが携行するカメラ２６を有する端末である。タブレット１は、その他、スマートフォンや携帯電話機等、カメラを有する携帯端末であってもよい。
図２に示すように、タブレット１は、制御部１０と、記憶部２０と、通信インタフェース部２９とを備える。
【００１３】
制御部１０は、タブレット１の全体を制御する中央処理装置（ＣＰＵ）である。制御部１０は、記憶部２０に記憶されているオペレーティングシステム（ＯＳ）やアプリケーションプログラムを適宜読み出して実行することにより、上述したハードウェアと協働し、各種機能を実行する。
制御部１０は、照会番号送信部１１と、照会結果受信部１２と、情報出力部１３（情報表示手段）と、カメラ起動受付部１４と、画像取得部１５（画像取得手段）と、画像認識部１６（レイヤ取得手段）と、レイヤ取得部１７（レイヤ取得手段）と、表示処理部１８（表示処理手段）とを備える。
【００１４】
照会番号送信部１１は、誌面３を特定するための照会番号を、情報サーバ４に対して送信する。照会番号は、タブレット１のユーザが予め知り得る情報であり、照会番号により、どの雑誌や書籍等のどのページであるかが分かるものである。照会番号は、例えば、誌面３の端部に記載されている。
照会結果受信部１２は、情報サーバ４から、照会番号に対する照会結果データを受信する。照会結果データは、誌面内容データ（誌面情報）と、レイヤデータとを含む。誌面内容データは、誌面３の題名や、仕上寸法等の誌面内容に関する情報である。レイヤデータについては、後述する。
情報出力部１３は、照会結果データに含まれる誌面内容データを、タッチパネルディスプレイ２５に出力する。
カメラ起動受付部１４は、カメラ２６のユーザによる起動操作を受け付ける。
画像取得部１５は、カメラ２６を介して誌面３を撮影した撮影画像を取得する。
【００１５】
ここで、誌面３について、図３（Ａ）に基づき説明する。
誌面３は、校正紙３０に、製版データ３１を印刷したものである。校正紙３０には、トンボ３２が四隅に配置され、中央部分に折りトンボ３４が配置されている。また、校正紙３０には、トンボ３２より外側の隅方向に、マーカ３３が配置されている。
トンボ３２は、十字マークにより示され、印刷の刷合わせを正確にするための目印である。
マーカ３３は、後述するレイヤ６０をあわせるための目印である。なお、マーカ３３は、トンボ３２より外側の隅方向であれば、その位置を問わない。
折りトンボ３４は、製本工程に必要な目印である折りの基準を示す目印である。
【００１６】
図２に戻り、画像認識部１６は、撮影画像を分析して、誌面３に配置されたマーカ３３を認識する。
レイヤ取得部１７は、画像認識部１６によって認識されたマーカ３３の位置に応じて、照会結果受信部１２が受信した照会結果データに含まれるレイヤデータの大きさを変更する。
【００１７】
ここで、レイヤデータが示すレイヤ６０について、図３（Ｂ）に基づき説明する。
レイヤ６０は、シート６３の上に、版面線６１（仕上がり確認線）と、仕上線６２（仕上がり確認線）とを有する画像データである。
版面線６１は、製版面を表す線である。版面線６１は、裁断の余白として有する線を含む。版面線６１は、四角形状を形成する。
仕上線６２は、印刷物を仕上げ断ちするための仮想線である。仕上線６２は、例えば、版面線６１より３ｍｍ内側に設定される。仕上線６２は、四角形状を形成する。
シート６３は、版面線６１及び仕上線６２が配置されるものであり、透過性を有し、例えば、無色である。
【００１８】
図２に戻り、表示処理部１８は、レイヤ取得部１７で取得したレイヤデータが示すレイヤ６０を、画像認識部１６で認識したマーカ３３の位置に基づいて、撮影画像に重畳して表示させる。
なお、各処理の詳細については、後述する。
【００１９】
記憶部２０は、制御部１０が各種の処理を実行するために必要なプログラム、データ等を記憶するための半導体メモリ素子等の記憶領域である。
ここで、コンピュータとは、制御部、記憶装置等を備えた情報処理装置をいい、タブレット１は、制御部１０、記憶部２０等を備えた情報処理装置であり、コンピュータの概念に含まれる。
記憶部２０は、プログラム記憶部２１を備える。
プログラム記憶部２１は、各種プログラムを記憶する記憶領域である。プログラム記憶部２１は、確認用プログラム２１ａを記憶している。確認用プログラム２１ａは、タブレット１の制御部１０が実行する各種機能を行うためのプログラムである。
【００２０】
タッチパネルディスプレイ２５は、液晶パネル等で構成される表示部としての機能と、ユーザの指等によるタッチ入力を検出する入力部としての機能とを有する。
カメラ２６は、誌面３を撮影するための装置である。
通信インタフェース部２９は、通信ネットワークＮを介して情報サーバ４との間の通信を行うためのインタフェースである。
【００２１】
＜情報サーバ４＞
情報サーバ４は、誌面３に関する誌面内容データ及びレイヤデータを記憶するサーバである。
情報サーバ４は、タブレット１から照会番号を受信することで、記憶部５０に記憶された誌面内容データ及びレイヤデータを抽出する。そして、情報サーバ４は、抽出した誌面内容データ及びレイヤデータを含む照会結果データを、タブレット１に送信する。
情報サーバ４は、制御部４０と、記憶部５０と、通信インタフェース部５９とを備える。
制御部４０は、情報サーバ４の全体を制御するＣＰＵである。制御部４０は、記憶部５０に記憶されているＯＳやアプリケーションプログラムを適宜読み出して実行することにより、上述したハードウェアと協働し、各種機能を実行する。
【００２２】
制御部４０は、照会番号受信部４１と、照会処理部４２と、照会結果送信部４３とを備える。
照会番号受信部４１は、タブレット１から誌面３の照会番号を受信する。
照会処理部４２は、誌面内容記憶部５１から照会番号に対する誌面内容データを抽出する。また、照会処理部４２は、レイヤ記憶部５２から照会番号に対するレイヤデータを抽出する。
照会結果送信部４３は、誌面内容データ及びレイヤデータを含む照会結果データを、照会番号を送信したタブレット１に送信する。
【００２３】
記憶部５０は、制御部４０が各種の処理を実行するために必要なプログラム、データ等を記憶するためのハードディスク、半導体メモリ素子等の記憶領域である。
記憶部５０は、誌面内容記憶部５１（誌面情報記憶部）と、レイヤ記憶部５２とを備える。
誌面内容記憶部５１は、誌面内容データを記憶する記憶領域である。誌面内容記憶部５１は、照会番号と、誌面内容データとを対応付けて記憶する。
レイヤ記憶部５２は、レイヤデータを記憶する記憶領域である。レイヤ記憶部５２は、照会番号と、レイヤデータとを対応付けて記憶する。
【００２４】
＜表示システム１００の処理＞
次に、表示システム１００の処理について説明する。
図４及び図５は、本実施形態に係る表示システム１００の誌面確認処理を示すフローチャートである。
図６は、本実施形態に係るタブレット１での表示例を示す図である。
処理を始める前提として、ユーザは、予め誌面３を用意しておく。そして、ユーザは、例えば、タブレット１のタッチパネルディスプレイ２５に表示されている確認用プログラム２１ａのアイコンを選択する。
そうすることで、図４のステップＳ（以下、「Ｓ」という。）１０において、タブレット１の制御部１０は、プログラム記憶部２１に記憶されている確認用プログラム２１ａを実行する。
【００２５】
Ｓ１１において、制御部１０は、例えば、図６（Ａ）に示す照会画面７０を、タッチパネルディスプレイ２５に表示させる。照会画面７０は、照会番号入力部７０ａと、ボタン部７０ｂとを備える。ここで、ユーザは、照会番号入力部７０ａに、誌面３の照会番号を入力し、ボタン部７０ｂを選択する。
そうすることで、Ｓ１２において、制御部１０（照会番号送信部１１）は、照会番号を受け付けて、情報サーバ４に対して受け付けた照会番号を送信する。その後、制御部１０は、処理をＳ２０に移す。
【００２６】
Ｓ１５において、情報サーバ４の制御部４０（照会番号受信部４１）は、照会番号を受信する。
Ｓ１６において、制御部４０（照会処理部４２）は、誌面内容記憶部５１を参照し、受信した照会番号に対応する照会内容データを抽出する。
Ｓ１７において、制御部４０（照会処理部４２）は、レイヤ記憶部５２を参照し、受信した照会番号に対応するレイヤデータを抽出する。
Ｓ１８において、制御部４０（照会結果送信部４３）は、照会内容データ及びレイヤデータを含む照会結果データを、タブレット１に対して送信する。その後、制御部４０は、本処理を終了する。
【００２７】
Ｓ２０において、タブレット１の制御部１０（照会結果受信部１２）は、照会結果データを受信する。
Ｓ２１において、制御部１０（情報出力部１３）は、照会結果データに含まれる照会内容データを編集した照会結果画面７１を、タッチパネルディスプレイ２５に表示させる。照会結果画面７１は、例えば、図６（Ｂ）に示すように、照会番号部７１ａと、誌面内容テーブル７１ｂと、ボタン部７１ｃとを備える。照会番号部７１ａは、照会画面７０において入力された照会番号を示す。誌面内容テーブル７１ｂは、照会内容データを編集したものであり、雑誌名、出版社名、綴じ方、開き方向、仕上寸法、版面寸法等に関する情報である。ボタン部７１ｃは、カメラ２６を起動させるためのものである。
ユーザは、誌面内容テーブル７１ｂを見て、誌面３がレイアウトを確認しようとするものであるか否かの確認ができる。
【００２８】
ユーザが誌面内容テーブル７１ｂの内容を確認した後、照会結果画面７１のボタン部７１ｃを選択することで、図５のＳ２２において、制御部１０（カメラ起動受付部１４）は、カメラ２６の起動操作を受け付けたか否かを判断する。カメラ２６の起動操作を受け付けた場合（Ｓ２２：ＹＥＳ）には、制御部１０は、処理をＳ２３に移す。他方、カメラ２６の起動操作を受け付けていない場合（Ｓ２２：ＮＯ）には、制御部１０は、本処理に留まる。
Ｓ２３において、制御部１０（画像取得部１５）は、カメラ２６を介して撮影画像を取得する。ユーザは、ボタン部７１ｃを選択した後、カメラ２６の向きを誌面３に合わせ、誌面３が長方形状で表示されるようにする。そうすることで、制御部１０が取得する撮影画像は、誌面３を含むものになる。なお、カメラ２６は、動画を撮影するものとし、制御部１０は、撮影画像を連続して取得し続ける。
Ｓ２４において、制御部１０（画像認識部１６）は、撮影画像を分析して、誌面３に配置されたマーカ３３（図３（Ａ）参照）を認識する。
【００２９】
Ｓ２５において、制御部１０（レイヤ取得部１７）は、認識したマーカ３３間の距離や、マーカ３３のサイズ等に基づいて、照会結果データに含まれるレイヤデータが示すレイヤ６０の大きさを変更する。具体的には、制御部１０は、認識したマーカ３３の座標情報を計算することにより、マーカ３３の位置等を算出する。
レイヤデータは、マーカ３３間の距離や、マーカ３３のサイズが所定のものである場合に、適正なサイズのデータである。よって、マーカ３３間の距離が狭かったり、マーカ３３のサイズが小さかったりする場合には、制御部１０は、レイヤデータが示すレイヤ６０の大きさを縮小させる。また、マーカ３３間の距離が広かったり、マーカ３３のサイズが大きかったりする場合には、制御部１０は、レイヤデータが示すレイヤ６０の大きさを拡大させる。
【００３０】
Ｓ２６において、制御部１０（表示処理部１８）は、取得した撮影画像をタッチパネルディスプレイ２５に表示させ、大きさを変更したレイヤ６０を、マーカ３３の位置に対応させて重畳して表示させる。
図６（Ｃ）は、表示画面７２を示す。表示画面７２は、画像表示部７２ａと、ボタン部７２ｂとを備える。画像表示部７２ａは、撮影画像に含まれる誌面３と、レイヤ６０に配置された版面線６１及び仕上線６２とを含む。よって、画像表示部７２ａは、版面線６１及び仕上線６２が、誌面３の上に直接引かれているかのように表示する。ボタン部７２ｂは、確認用プログラム２１ａの実行を終了させるためのボタンである。
【００３１】
図５に戻り、Ｓ２７において、制御部１０は、ボタン部７２ｂが選択されて、確認用プログラム２１ａによる処理を終了するか否かを判断する。処理を終了する場合（Ｓ２７：ＹＥＳ）には、制御部１０は、確認用プログラム２１ａによる処理を終了する。他方、処理を終了しない場合（Ｓ２７：ＮＯ）には、制御部１０は、処理をＳ２３に移し、カメラ２６が起動させている間は、レイヤ６０を重畳して表示させる。その際、カメラ２６の位置が動いた場合には、制御部１０は、その都度Ｓ２３からＳ２６までの処理を行うことによって、カメラ２６の位置が多少ずれても、誌面３の仕上がりを確認できるように、版面線６１及び仕上線６２を表示する。
【００３２】
このように、本実施形態の表示システム１００によれば、以下のような効果がある。
（１）タブレット１は、誌面３を撮影して、撮影画像に含む誌面３に、誌面３に対応する版面線６１及び仕上線６２を有するレイヤ６０を重畳して表示させる。よって、タブレット１には、あたかも版面線６１及び仕上線６２が手書きされた誌面３であるかのように表示できる。よって、校正出力時における誌面３の確認を、拡張現実の技術を用いて行うことができる。
（２）タブレット１は、誌面３を特定する照会番号を用いることで、誌面３の誌面内容を表示するので、誌面３の誌面内容をユーザに確認させることができる。
【００３３】
（３）誌面３にマーカ３３を有することで、タブレット１は、マーカ３３を認識し、レイヤ６０の大きさを、認識したマーカ３３間の位置関係や大きさに基づいて変更する。よって、タブレット１は、どのような撮影距離から誌面３を撮影しても、レイヤ６０の大きさを、誌面３の大きさに対応するものにできる。
また、認識したマーカ３３の位置に基づいて、レイヤ６０の位置を決定するので、タブレット１は、誌面３と、レイヤ６０との位置合わせを行うことができる。
【００３４】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００３５】
（変形形態）
（１）本実施形態では、レイヤは、版面線と仕上線とを含むものとして説明したが、これに限定されない。誌面の仕上がりを確認できるものであればよく、レイヤは、版面線と仕上線のうち一方を含むものであってもよい。
（２）本実施形態では、マーカを四隅に配置するものを例に説明したが、これに限定されない。誌面の少なくとも１箇所にマーカを有していれば、タブレットは、レイヤの大きさや、配置位置を決定できる。しかし、より精度を高く、しかも、処理を簡単に行うためには、３箇所以上にマーカを有することが望ましい。
また、マーカに代えて、予め校正紙に有するトンボや、誌面に有するカラーコード等のアクセサリを用いてもよい。
【００３６】
（３）本実施形態では、照会番号をユーザが入力するものを例に説明したが、これに限定されない。例えば、照会番号がコード化されたバーコード等のコード情報を誌面に有し、カメラがコード情報を読み取ることで、コード情報から照会番号を取得してもよい。
（４）本実施形態では、レイヤ記憶部は、照会番号と、レイヤデータとを対応付けて記憶するものとして説明したが、これに限定されない。レイヤ記憶部は、仕上寸法及び版面寸法と、レイヤデータとを対応付けて記憶するものであってもよい。その場合には、誌面内容記憶部から仕上寸法及び版面寸法を取得し、取得した仕上寸法及び版面寸法に対応付けられたレイヤデータを取得するようにする。
【００３７】
（５）本実施形態では、誌面に合ったレイヤデータを、情報サーバから取得して表示させるものを例に説明したが、これに限定されない。誌面に合った仕上がり確認線を有するレイヤデータを、タブレットが生成してもよい。
（６）本実施形態では、誌面に対応したレイヤデータを表示させるものを例に説明したが、これに限定されない。レイヤデータが表示されたタブレットに、仕上がり確認線の編集機能を設けて、ユーザの操作によって、仕上がり確認線の移動等を行えるようにしてもよい。そして、ユーザの操作によって仕上がり確認線の位置を変更した場合には、タブレットは、変更データを、情報サーバに送信するようにし、情報サーバでは、仕上がり確認線に関する履歴情報を有するようにしてもよい。
【００３８】
（７）本実施形態では、カメラが動画を撮影するものとして説明したが、これに限定されない。静止画を撮影し、その撮影画像にレイヤを重畳表示させてもよい。そして、撮影画像にレイヤを重畳したものを静止画として撮影し、レイヤ入りの撮影画像をデータとして保存可能にしてもよい。
【符号の説明】
【００３９】
１    タブレット
３    誌面
４    情報サーバ
１０，４０  制御部
１３  情報出力部
１５  画像取得部
１６  画像認識部
１７  レイヤ取得部
１８  表示処理部
２１ａ  確認用プログラム
２５  タッチパネルディスプレイ
２６  カメラ
３０  校正紙
３１  製版データ
３２  トンボ
３３  マーカ
４３  照会結果送信部
５１  誌面内容記憶部
５２  レイヤ記憶部
６０  レイヤ
６１  版面線
６２  仕上線
６３  シート
７１  照会結果画面
７１ｂ  誌面内容テーブル
７２  表示画面
１００  表示システム
【図１】
2018106041.tif 000003
【図２】
2018106041.tif 000004
【図３】
2018106041.tif 000005
【図４】
2018106041.tif 000006
【図５】
2018106041.tif 000007
【図６】
2018106041.tif 000008